(57)【要約】【課題】  ライトパワーやイレースパワーに影響を与えることなく、高速記録における記録品質を向上させる。【解決手段】  書き換え型の光ディスクと、この光ディスクに対して照射するレーザ光を発する発光素子と、の相対的な移動に際して、リードパワーＰｒのレーザ光を照射することで光ディスクに記録された情報の再生を行ない、光ディスクと発光素子との相対的な移動に際して、記録データに基づき、記録マーク形成領域に対してライトパワーＰｗのレーザ光とライトパワーＰｗよりも小さいボトムパワーＰｂのレーザ光とを発光素子から交互に出射するマルチパルス方式での情報の記録を行なう光ディスク装置で、ボトムパワーＰｂをゼロとすることにより、ボトムパワーＰｂで発光されるレーザ光を消灯状態とするようにした。【選択図】    図４
2005071541.tif 000002
【特許請求の範囲】
【請求項１】
書き換え型の光ディスクに対して照射するレーザ光を発する発光素子と、
前記光ディスクと前記発光素子とを相対的に移動させる移動手段と、
前記光ディスクと前記発光素子との相対的な移動に際して、リードパワーのレーザ光を前記発光素子から出射することで前記光ディスクに記録された情報の再生を行なう再生手段と、
前記光ディスクと前記発光素子との相対的な移動に際して、記録データに基づき、記録マーク形成領域に対してライトパワーのレーザ光とライトパワーよりも小さいボトムパワーのレーザ光とを前記発光素子から交互に出射するマルチパルス方式での情報の記録を行なう記録手段と、
を具備し、
前記記録手段は、ボトムパワーをゼロとする光ディスク装置。
【請求項２】
追記型の光ディスクに対して照射するレーザ光を電流源からの電流値に応じて発光する発光素子と、
前記光ディスクと前記発光素子とを相対的に移動させる移動手段と、
前記光ディスクと前記発光素子との相対的な移動に際して、リードパワーのレーザ光を前記発光素子から出射することで前記光ディスクに記録された情報の再生を行なう再生手段と、
前記光ディスクと前記発光素子との相対的な移動に際して、記録データに基づき、記録マーク形成領域に対してライトパワーのレーザ光を前記発光素子から出射し、記録マーク間のスペース形成領域に対してライトパワーよりも小さいリードパワーのレーザ光を前記発光素子から出射することで情報の記録を行なう記録手段と、
を具備し、
前記記録手段は、リードパワーをゼロとする光ディスク装置。
【請求項３】
情報の記録が可能な光ディスクに対して照射するレーザ光を複数の電流源からの合計電流値に応じて発光する発光素子と、
前記光ディスクと前記発光素子とを相対的に移動させる移動手段と、
前記光ディスクと前記発光素子との相対的な移動に際して、リードパワーのレーザ光を前記発光素子から出射することで前記光ディスクに記録された情報の再生を行なう再生手段と、
前記光ディスクと前記発光素子との相対的な移動に際して、記録データに基づき、記録マーク形成領域に対してライトパワーのレーザ光を前記発光素子から出射し、記録マーク消去領域に対してイレースパワーのレーザ光を前記発光素子から出射するように各電流源からの電流値を制御することで情報の記録を行なう記録手段と、
ライトパワーの大きさとイレースパワーの大きさとに応じて、ライトパワーのレーザ光を出射させる電流源とイレースパワーのレーザ光を出射させる電流源とを切替可能に設定する電流源設定手段と、
を具備する光ディスク装置。
【請求項４】
リードパワーのレーザ光を発光させる電流値を段階的に調整可能なリードパワー設定手段を具備し、
前記記録手段は、前記リードパワー設定手段によりリードパワーのレーザ光を発光させる電流値を段階的に変化させることにより前記発光素子を発光させる合計電流値を調整する請求項１、２または３記載の光ディスク装置。
【請求項５】
レーザ光を発する発光素子と、可逆的な相変化による情報の記録消去が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光とライトパワーよりも小さいボトムパワーのレーザ光とを前記発光素子から交互に出射するマルチパルス方式での情報の記録を行なう記録再生方法において、
記録に際してのボトムパワーをゼロとすることを特徴とする記録再生方法。
【請求項６】
電流源からの電流値に応じたレーザ光を発する発光素子と、不可逆的な相変化による情報の記録が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光を前記発光素子から出射し記録マーク間のスペース形成領域に対してライトパワーよりも小さいリードパワーのレーザ光を前記発光素子から出射することで情報の記録を行なう記録再生方法において、
記録に際してのリードパワーをゼロとすることを特徴とする記録再生方法。
【請求項７】
複数の電流源からの合計電流値に応じたレーザ光を発する発光素子と、情報の記録が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光を前記発光素子から出射し記録マーク消去領域に対してイレースパワーのレーザ光を前記発光素子から出射するように各電流源からの電流値を制御することで情報の記録を行なう記録再生方法において、
ライトパワーの大きさとイレースパワーの大きさとに応じて、ライトパワーのレーザ光を出射させる電流源とイレースパワーのレーザ光を出射させる電流源とを切替可能に設定するようにしたことを特徴とする記録再生方法。
【請求項８】
記録に際してのリードパワーのレーザ光を発光させる電流値を段階的に変化させることにより発光素子を発光させる合計電流値を調整するようにしたことを特徴とする請求項５、６または７記載の記録再生方法。
【発明の詳細な説明】
【技術分野】
【０００１】
本発明は、光ディスク装置および記録再生方法に関する。
【背景技術】
【０００２】
ＣＤ−ＲＷに対する記録に際しては、反射率の異なる結晶相とアモルファス相を可逆的に変化させることで記録が行なわれる。記録膜が結晶相になるかアモルファス相になるかは加熱後の冷却速度に依存し、徐冷すると結晶相になり、急冷するとアモルファス相になる。
【０００３】
実際には、或る一定のイレースパワーＰｅを有するレーザ光線を走査すると結晶相（スペース）となり、大きなライトパワーＰｗと小さなボトムパワーＰｂとを短時間に繰り返すレーザ光線を走査するとアモルファス相（マーク）となる。
【０００４】
そして、このようにして記録したＣＤ−ＲＷに対して、リードパワーＰｒのレーザ光を照射することで、アモルファス相部分をマークとして読み取る。
【０００５】
従来では、ボトムパワーＰｂとリードパワーＰｒとが同じであっても、十分な記録品質を得ることができる。
【０００６】
しかしながら、近年のＣＤ−ＲＷメディア（以降、ＣＤ−ＲＷとする）における記録膜の改良により、ＣＤ−ＲＷに対する記録可能速度が向上している。そして、この記録速度の向上に伴い、パワーマージンが減少する傾向が見られ、低速に比べ安定した記録品質を得ることが困難になってきている。
【０００７】
従来の光ディスク装置における技術の一部について以下に説明する。
【０００８】
＜技術１＞
マークデータ長が２Ｔ増加する度に加熱パルスと冷却パルスとの個数を各々１個増加させることで、高速記録時であっても十分な加熱・急冷を可能とするようにした技術がある（例えば、特許文献１参照）。
【０００９】
＜技術２＞
レーザダイオード（以降、ＬＤ）においては、ある一定値以上の発光パワーを得るための消費電流と発光パワーとの間の関係に直線関係が成立する。このため、イレースパワーＰｅ，ライトパワーＰｗの設定を容易に行なうことができる。
【００１０】
現在では、多くのノート型パーソナルコンピュータ（ノート型ＰＣ）にＣＤ−Ｒドライブが搭載されている。ノート型ＰＣは、一般的にバッテリで駆動されるため、周辺装置であるＣＤ−Ｒドライブも省力設計が要求される。
【００１１】
ＣＤ−Ｒメディア（以降、ＣＤ−Ｒ）に対する記録に際しては、記録膜を焼き切るようなイメージでピットを形成する。実際には、スペースを形成する領域を走査する期間ではリードパワーＰｒのレーザ光を照射し、マークを形成する領域を走査する期間ではライトパワーＰｗのレーザ光を照射することによって行なわれる。
【００１２】
＜技術３＞
多くの既製品レーザドライバは、各チャネルの最大許容電流が異なる。これはチャネルによりリード用、ライト用の用途が決められており、その用途に見合った電流設計がなされているからである。例えば、３つのチャネルを有する記録装置において、チャネル１は５０ｍＡ、チャネル２は１５０ｍＡ、チャネル３は１００ｍＡと言った具合に電流設計がなされている。また、例えば、ＣＤ−Ｒの場合にはチャネル１をリードパワー用にチャネル２をライトパワー用にチャネル３をピークパワー用に使用し、ＣＤ−ＲＷの場合はチャネル１をベースパワー用にチャネル２をイレースパワー用にチャネル３をライトパワー用に使用する。
【００１３】
なお、従来の光ディスク装置では、ＣＤ−Ｒに対する記録速度に比べてＣＤ−ＲＷの記録速度は低速であるため、その記録パワーに不足を感じることは無い。
【００１４】
【特許文献１】特開２００２−３３４４３３公報
【発明の開示】
【発明が解決しようとする課題】
【００１５】
しかしながら、上述したような従来の光ディスク装置における技術では、以下に示すような課題を有している。
【００１６】
＜課題１＞
上述したようなＣＤ−ＲＷに対する記録を行なう従来の光ディスク装置におけるＬＤは、発光パワーの小さい領域において、消費電流と発光パワーとの間の関係に直線性がなくなるという性質を有している。このため、イレースパワーＰｅをあまりにも小さくすると、イレースパワーＰｅ，ライトパワーＰｗの設定に障害が発生してしまう。
【００１７】
そこで、本発明の目的は、ライトパワーやイレースパワーに影響を与えることなく、高速記録における記録品質を向上させることである。
【００１８】
＜課題２＞
また、一般的に、ＬＤにおいてリードパワーＰｒでの発光パワーは小さく設定されている。しかしながら、ＬＤにおける消費電流と発光パワーとの関係は、リードパワーＰｒのような小さなパワーでであっても大きな消費電流を必要とする。このため、必要とする発光パワーが小さいにも拘わらず、不必要に多くの電流が必要となっている。
【００１９】
本発明の別の目的は、スペース形成領域における消費電流をなくし、記録に際しての消費電流を低減することである。
【００２０】
＜課題３＞
近年では、ＣＤ−Ｒの記録速度が限界となりつつある。一方で、ＣＤ−ＲＷの記録速度は増加している。このため、現在では、ＣＤ−ＲＷに対する記録に際して、十分な記録パワーが出せなくなる問題が発生している。例えば、イレースパワーに必要な電流が８０ｍＡであって、ライトパワーに必要な電流が１２０ｍＡであるために、チャネル３の許容電流がオーバーしてしまうという不具合が発生する。
【００２１】
また、発光パワーの設定、つまりＬＤを駆動するための電流源の設定指示には、ＤＡコンバータ（以降、ＤＡＣという）が使用される。発光パワーの最大値と設定分解能を考慮すると、現状では１０ｂｉｔのＤＡＣが必要とされるが、ＤＡＣのチップ面積は意外に大きく、ビット数の削減によるコストダウンが期待されている。
【００２２】
本発明のまた別の目的は、予め決められた用途に応じて各電流源の電流設計がなされている場合にも、必要とされる電流値に応じてパワー設定範囲を広げることである。
【課題を解決するための手段】
【００２３】
請求項１記載の発明の光ディスク装置は、可逆的な相変化による情報の記録消去が可能な光ディスクに対して照射するレーザ光を発する発光素子と、前記光ディスクと前記発光素子とを相対的に移動させる移動手段と、前記光ディスクと前記発光素子との相対的な移動に際して、リードパワーのレーザ光を前記発光素子から出射することで前記光ディスクに記録された情報の再生を行なう再生手段と、前記光ディスクと前記発光素子との相対的な移動に際して、記録データに基づき、記録マーク形成領域に対してライトパワーのレーザ光とライトパワーよりも小さいボトムパワーのレーザ光とを前記発光素子から交互に出射するマルチパルス方式での情報の記録を行なう記録手段と、を具備し、前記記録手段は、ボトムパワーをゼロとする。
【００２４】
したがって、ボトムパワーで発光されるレーザ光は消灯状態となる。
【００２５】
請求項２記載の発明の光ディスク装置は、不可逆的な相変化による情報の記録が可能な光ディスクに対して照射するレーザ光を電流源からの電流値に応じて発光する発光素子と、前記光ディスクと前記発光素子とを相対的に移動させる移動手段と、前記光ディスクと前記発光素子との相対的な移動に際して、リードパワーのレーザ光を前記発光素子から出射することで前記光ディスクに記録された情報の再生を行なう再生手段と、前記光ディスクと前記発光素子との相対的な移動に際して、記録データに基づき、記録マーク形成領域に対してライトパワーのレーザ光を前記発光素子から出射し、記録マーク間のスペース形成領域に対してライトパワーよりも小さいリードパワーのレーザ光を前記発光素子から出射することで情報の記録を行なう記録手段と、を具備し、前記記録手段は、リードパワーをゼロとする。
【００２６】
したがって、リードパワーで発光されるレーザ光は消灯状態となる。
【００２７】
請求項３記載の発明の光ディスク装置は、情報の記録が可能な光ディスクに対して照射するレーザ光を複数の電流源からの合計電流値に応じて発光する発光素子と、前記光ディスクと前記発光素子とを相対的に移動させる移動手段と、前記光ディスクと前記発光素子との相対的な移動に際して、リードパワーのレーザ光を前記発光素子から出射することで前記光ディスクに記録された情報の再生を行なう再生手段と、前記光ディスクと前記発光素子との相対的な移動に際して、記録データに基づき、記録マーク形成領域に対してライトパワーのレーザ光を前記発光素子から出射し、記録マーク消去領域に対してイレースパワーのレーザ光を前記発光素子から出射するように各電流源からの電流値を制御することで情報の記録を行なう記録手段と、ライトパワーの大きさとイレースパワーの大きさとに応じて、ライトパワーのレーザ光を出射させる電流源とイレースパワーのレーザ光を出射させる電流源とを切替可能に設定する電流源設定手段と、を具備する。
【００２８】
したがって、必要とされる電流値に応じてチャネルを入れ替えることが可能となる。
【００２９】
請求項４記載の発明は、請求項１、２または３記載の光ディスク装置において、リードパワーのレーザ光を発光させる電流値を段階的に調整可能なリードパワー設定手段を具備し、前記記録手段は、前記リードパワー設定手段によりリードパワーのレーザ光を発光させる電流値を段階的に変化させることにより発光素子を発光させる合計電流値を調整する。
【００３０】
したがって、一般的に、最大パワーは小さいが設定分解能の高い電流値を有する電流源に設定されるリードパワーを調整することで、記録に際しての合計電流値の設定精度を向上させることができる。
【００３１】
請求項５記載の発明の記録再生方法は、レーザ光を発する発光素子と、可逆的な相変化による情報の記録消去が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光とライトパワーよりも小さいボトムパワーのレーザ光とを前記発光素子から交互に出射するマルチパルス方式での情報の記録を行なう記録再生方法において、記録に際してのボトムパワーをゼロとする。
【００３２】
したがって、ボトムパワーで発光されるレーザ光は消灯状態となる。
【００３３】
請求項６記載の発明の記録再生方法は、電流源からの電流値に応じたレーザ光を発する発光素子と、不可逆的な相変化による情報の記録が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光を前記発光素子から出射し記録マーク間のスペース形成領域に対してライトパワーよりも小さいリードパワーのレーザ光を前記発光素子から出射することで情報の記録を行なう記録再生方法において、記録に際してのリードパワーをゼロとする。
【００３４】
したがって、リードパワーで発光されるレーザ光は消灯状態となる。
【００３５】
請求項７記載の発明の記録再生方法は、複数の電流源からの合計電流値に応じたレーザ光を発する発光素子と、情報の記録が可能な光ディスクとの相対的な移動に際して、リードパワーのレーザ光を前記発光素子から出射することで前記光ディスクに記録された情報の再生を行ない、前記光ディスクと前記発光素子との相対的な移動に際して、記録データに基づき、記録マーク形成領域に対してライトパワーのレーザ光を前記発光素子から出射し記録マーク消去領域に対してイレースパワーのレーザ光を前記発光素子から出射するように各電流源からの電流値を制御することで情報の記録を行なう記録再生方法において、ライトパワーの大きさとイレースパワーの大きさとに応じて、ライトパワーのレーザ光を出射させる電流源とイレースパワーのレーザ光を出射させる電流源とを切替可能に設定する。
【００３６】
したがって、必要とされる電流値に応じてチャネルを入れ替えることが可能となる。
【００３７】
請求項８記載の発明は、請求項５、６または７記載の記録再生方法において、記録に際してのリードパワーのレーザ光を発光させる電流値を段階的に変化させることにより発光素子を発光させる合計電流値を調整する。
【００３８】
したがって、一般的に、最大パワーは小さいが設定分解能の高い電流値を有する電流源に設定されるリードパワーを調整することで、記録に際しての合計電流値の設定精度を向上させることができる。
【発明の効果】
【００３９】
請求項１記載の発明の光ディスク装置によれば、ボトムパワーで発光されるレーザ光は消灯状態となるので、記録マーク形成に際しての冷却期間、すなわち、ボトムパワーで発光素子を発光させる期間において発生させる急冷用パルスのパワーのみを低くすることができ、ライトパワーやイレースパワーに影響を与えることなく、高速記録における記録品質を向上させることができる。
【００４０】
請求項２記載の発明の光ディスク装置によれば、リードパワーで発光されるレーザ光は消灯状態となるので、スペース形成領域における消費電流をなくし、記録に際しての消費電流を低減することができる。
【００４１】
請求項３記載の発明の光ディスク装置によれば、必要とされる電流値に応じてチャネルを入れ替えることが可能となるので、予め決められた用途に応じて各電流源の電流設計がなされている場合にも、必要とされる電流値に応じてパワー設定範囲を広げることができる。
【００４２】
請求項４記載の発明は、請求項１、２または３記載の光ディスク装置において、一般的に、最大パワーは小さいが設定分解能の高い電流値を有する電流源に設定されるリードパワーを調整することで、記録に際しての合計電流値の設定精度を向上させることができるので、コストを低減しつつ、必要な発光パワーと設定分解能とを得ることができる。
【００４３】
請求項５記載の発明の記録再生方法によれば、ボトムパワーで発光されるレーザ光は消灯状態となるので、記録マーク形成に際しての冷却期間、すなわち、ボトムパワーで発光素子を発光させる期間において発生させる急冷用パルスのパワーのみを低くすることができ、ライトパワーやイレースパワーに影響を与えることなく、高速記録における記録品質を向上させることができる。
【００４４】
請求項６記載の発明の記録再生方法は、リードパワーで発光されるレーザ光は消灯状態となるので、スペース形成領域における消費電流をなくし、記録に際しての消費電流を低減することができる。
【００４５】
請求項７記載の発明の記録再生方法によれば、必要とされる電流値に応じてチャネルを入れ替えることが可能となるので、予め決められた用途に応じて各電流源の電流設計がなされている場合にも、必要とされる電流値に応じてパワー設定範囲を広げることができる。
【００４６】
請求項８記載の発明は、請求項５、６または７記載の記録再生方法において、一般的に、最大パワーは小さいが設定分解能の高い電流値を有する電流源に設定されるリードパワーを調整することで、記録に際しての合計電流値の設定精度を向上させることができるので、コストを低減しつつ、必要な発光パワーと設定分解能とを得ることができる。
【発明を実施するための最良の形態】
【００４７】
本発明を実施するための最良の一実施の形態について図１ないし図４を参照して説明する。本実施の形態は、光ディスク装置への適用例を示す。
【００４８】
図１は、本発明を実施するための最良の一実施の形態の光ディスク装置を示す全体ブロック図である。光ディスク装置１は、光ディスク２を回転駆動する移動手段としてのスピンドルモータ３を備えている。スピンドルモータ３は、後述するモータドライバ４およびサーボ処理手段（図１中、サーボ処理）５とによって、線速度または角速度が一定になるように制御される。本実施の形態の光ディスク装置１では、線速度または角速度を段階的に変更することが可能である。
【００４９】
光ディスク装置１は、光ディスク２に対してレーザ光を照射するための光ピックアップ６を備えている。公知の技術であるため図示および説明を省略するが、光ピックアップ６は、半導体レーザ（以降、単にＬＤとする（図２参照））、光学系、フォーカスアクチュエータ、トラックアクチュエータ、受光素子およびポジションセンサ等を備えている。また、光ピックアップ６は、光ピックアップ６を移動可能とする図示しないシークモータを備えている。光ディスク装置１における光ピックアップ６が備えるフォーカスアクチュエータ、トラックアクチュエータおよびシークモータは、受光素子やポジションセンサから得られた信号に基づいて、モータドライバとサーボ処理とにより駆動制御される。これにより、レーザスポットが目的の場所に位置するように制御される。
【００５０】
公知の技術であるため説明を省略するが、光ディスク２に記録された情報を読み取る（リード）の場合、光ピックアップ６で得られた再生信号は、リードアンプ７で増幅されて２値化された後、ＣＤデコーダ８に入力されてデインターリーブとエラー訂正の処理を受ける。続いて、このデータは、ＣＤ−ＲＯＭデコーダ／エンコーダ９に入力されてデータの信頼性を高めるためにエラー訂正の処理を受ける。その後、エラー訂正されたデータは、バッファマネージャ１０により一旦バッファメモリ１１に蓄えられ、セクタデータとして揃ったところでＡＴＡＰＩまたはＳＣＳＩインターフェース等のホストＩ／Ｆ１２を介して図示しないホストへ一気に送られる。ここに、再生手段が実現される。
【００５１】
公知の技術であるため説明を省略するが、光ディスク２に対して情報を記録する（ライト）の場合、ＡＴＡＰＩまたはＳＣＳＩインターフェース等のホストＩ／Ｆ１２を介してホストから送られてきたデータは、バッファマネージャ１０により一旦バッファメモリ１１に蓄えられる。バッファメモリ１１にある程度データが貯まったところでライトを開始する。
【００５２】
ところで、ライトを開始する前には、レーザスポットを書き込み開始地点に位置させなければならない。この開始地点は、トラックの蛇行により予め光ディスクに刻まれているウォブル信号によって求めることができる。公知の技術であるため説明を省略するが、ウォブル信号には、ＡＴＩＰと呼ばれる絶対時間情報が含まれており、この絶対時間情報はＡＴＩＰデコーダ１３によって取り出すことができる。ＡＴＩＰデコーダが生成する同期信号は、ＣＤエンコーダ１４に入力され、正確な位置でのデータの書き出しを可能にしている。
【００５３】
バッファメモリ１１のデータは、ＣＤ−ＲＯＭデコーダ／エンコーダ９やＣＤエンコーダ１４においてエラー訂正コードの付加やインターリーブが行われて、ＬＤドライバ１５、光ピックアップ６を介して光ディスク２に記録される。ここに、記録手段が実現される。
【００５４】
これらのリードおよびライトにおける一連の制御は、光ディスク装置１が備えるシステムコントローラ（ＣＰＵ）１６が行なっている。このシステムコントローラ１６には、バスを介して、ワークメモリ１７、プログラムメモリ１８が接続されている。
【００５５】
ワークメモリ１７は、プログラム実行時にスタック情報や変数が記憶される。
【００５６】
プログラムメモリ１８は、主に、システムコントローラ用プログラムの記憶用であり、ファームウェアをアップデートするための書き換えプログラムや光ディスク２に対するリードやライトを行なうプログラム等を記憶している。
【００５７】
システムコントローラ１６は、バッファマネージャ１０を介してバッファメモリ１１に対するアクセスが可能である。このバッファメモリ１１には、光ディスク２に対するリードデータやライトデータが記憶される。システムコントローラ１６は、バッファメモリ１１に対してアクセスすることで、ヘッダ情報やサブコード情報を取得したり付加したりすることができる。なお、ヘッダ情報やサブコード情報については公知の技術であるため説明を省略する。
【００５８】
次に、ＬＤドライバ１５周辺について、光ピックアップ６におけるＬＤ制御を中心にして説明する。図２は、図１のＬＤドライバ１５周辺をＬＤ制御を中心にして図１よりも詳細に示すブロック図である。光ピックアップ６における発光素子としてのＬＤ１９の点灯／消灯を駆動制御するＬＤドライバ１５は、３チャネルの電流増幅器２０，２１，２２を内蔵しており、各電流増幅器２０，２１，２２に入力された電流を決められた割合で増幅し、加算合成した電流によって光ピックアップ６におけるＬＤ１９を駆動する。
【００５９】
各電流増幅器２０，２１，２２は、出力電流を高速にＯＮ／ＯＦＦすることが可能である。また、各電流増幅器２０，２１，２２は、書き込みパルス生成部２３からのＥＦＭ１，ＥＦＭ２，ＥＦＭ３信号によって制御される。
【００６０】
Ｉ１の範囲内で加えられる電流（以降、電流Ｉ１）をＯＮ／ＯＦＦするための信号は、ＥＦＭ１の他に、常時ＯＮしておくための信号と常時ＯＦＦしておくための信号とのいずれか一方を選択可能とされている。電流Ｉ１は、ＬＤを消灯したり光ディスク２を再生に際して点灯したりする時に、ＯＮ／ＯＦＦの切り換えが行なわれる。
【００６１】
フォトディテクタ（以降、ＰＤ）２４は、ＬＤ１９を目的のパワーで発光させるための検出器である。ＰＤ２４における電流値は、ＬＤ１９における発光量に応じて変化する。ＰＤ２４における電流は、図示しないＩ／Ｖ変換器でＩ／Ｖ変換された後、増幅器２５で増幅されて、Ｐ１電流制御部２６，Ｐ２電流制御部２７，Ｐ３電流制御部２８に入力される。各電流制御部２６，２７，２８には、それぞれＰ１ＤＡＣ２９，Ｐ２ＤＡＣ３０，Ｐ３ＤＡＣ３１が接続されていている。
【００６２】
Ｐ１電流制御部１６，Ｐ２電流制御部２７，Ｐ３電流制御部２８は、必要に応じてＰＤ信号をサンプルホールドすることでＬＤ１９の発光パワーを求め、予め設定されている目標パワーと比較し、目標パワーとなるような電流をＬＤドライバ１５へ送るように制御する。
【００６３】
ここで、図３は、ＬＤ１９における消費電流と発光パワーとの関係を示すグラフである。図３から判るように、ＬＤ１９においては、電流を流し始めてからある一定の電流を流すまで、電流を増加させても発光量が目立って増加しない領域がある。具体的には、発光パワーＰ１のように、低い発光パワーであっても電流Ｉ１の範囲のように多くの電流を必要とする。
【００６４】
ところで、記録に際して必要な発光パワーは、電流Ｉ１をベースにＩ２の範囲内で加えられる電流（以降、電流Ｉ２），Ｉ３の範囲内で加えられる電流（以降、電流Ｉ３）を加算して生成される。この方法は、チャネルの最大電流を低く抑えることができることと、ＬＤ電流と発光パワーとが比例する領域を使用してライトパワー制御を行なえるため制御が容易であるという利点がある。
【００６５】
ここで、図４は、ＣＤ−ＲＷを光ディスク２とした場合の、光ディスク２への記録に際しての書き込みパルスとＬＤ１９における発光パワーとの関係を示すタイミングチャートである。図４中、ＥＦＭは、記録したいデータのＥＦＭデータであり、Ｈｉｇｈがマーク、Ｌｏｗがスペースを記録するためのパルスである。また、図４中、ＷＧは、記録中を示すライトゲート信号である。さらに、図４中、ＥＦＭ１，ＥＦＭ２，ＥＦＭ３は、ＬＤドライバのチャネル電流をＯＮ／ＯＦＦする信号である。ＥＦＭ１は、電流Ｉ１をＯＮ／ＯＦＦする。ＥＦＭ２は、電流Ｉ２をＯＮ／ＯＦＦする。ＥＦＭ３は、電流Ｉ３をＯＮ／ＯＦＦする。
【００６６】
図３中では、途中分割して示しているが、図４中Ａ期間が記録に際しての書き込みパルスとＬＤ１９における発光パワーとの関係を示しており、図４中Ｂ期間が記録中の書き込みパルスとＬＤ１９における発光パワーとの関係を示しており、図４中Ｃ期間が記録終了に際しての書き込みパルスとＬＤ１９における発光パワーとの関係を示している。
【００６７】
ライトゲート信号ＷＧは、記録開始前と記録終了後はＬｏｗとなる。また、ライトゲート信号ＷＧがＬｏｗとなる期間、ＥＦＭ１はＨｉｇｈである。このとき、ＬＤ１９における発光パワーは、電流Ｉ１によって制御された電流によって、ボトムパワーＰｂと等しいパワーＰ１とされる（Ｐｂ＝Ｐ１）。
【００６８】
マーク記録中は、ＥＦＭ１，ＥＦＭ２，ＥＦＭ３がともにＨｉｇｈとなる状態（ＥＦＭ１，ＥＦＭ２，ＥＦＭ３＝Ｈｉｇｈ）と、ＥＦＭ１，ＥＦＭ２，ＥＦＭ３がともにＬｏｗとなる状態（ＥＦＭ１，ＥＦＭ２，ＥＦＭ３＝Ｌｏｗ）とが繰り返される。このとき、ＬＤにおける発光パワーは、電流Ｉ１＋電流Ｉ２＋電流Ｉ３の電流によって、ライトパワーＰｗがライトパワーＰｗ＝Ｐ１＋Ｐ２＋Ｐ３のパワーとなる状態と、電流が０となるＰ０となる状態（消灯状態）とを繰り返すように制御される。
【００６９】
スペース記録中は、ＥＦＭ１，ＥＦＭ２＝Ｈｉｇｈ，ＥＦＭ３＝Ｌｏｗとなる。ＬＤにおける発光パワーは、電流Ｉ１＋電流Ｉ２の電流によって、イレースパワーＰｅがＰｅ＝Ｐ１＋Ｐ２となるように制御される。
【００７０】
ＬＤ１９においては、ＣＤ−ＲＷを光ディスク２とした場合の光ディスク２に対する記録可能速度の向上に伴い、パワーマージンが減少する傾向が見られるが、記録速度が向上して記録品質が十分でない状況においては、急冷用パルスのパワーは低いほど記録品質が向上することが確認されている。
【００７１】
ＬＤ１９において、発光パワーが小さく、消費電流と発光パワーとの間の関係に直線性がなくなる領域で、イレースパワーＰｅをあまりにも小さくすると、イレースパワーＰｅ，ライトパワーＰｗの設定に障害が発生してしまう。
【００７２】
これに対し、本実施の形態では、冷却期間だけ電流Ｉ２，電流Ｉ３に加えて電流Ｉ１もＯＦＦする。
【００７３】
これにより、冷却期間だけボトムパワーＰｂを０にすることができるので、高い記録速度領域における記録品質の向上を図ることができる。
【００７４】
次に、本発明の別の実施の形態について図５を参照して説明する。なお、上述した実施の形態と同一部分は同一符号で示し、説明も省略する。以下、同様とする。
【００７５】
図５は、本発明の別の実施の形態の光ディスク装置１において、ＣＤ−Ｒを光ディスク２とした場合の光ディスク２への記録に際しての書き込みパルスとＬＤ１９の発光パワーとの関係を示すタイミングチャートである。図５中、ＥＦＭ，ＷＧ，ＥＦＭ１，ＥＦＭ２，ＥＦＭ３は、図４と同様である。また、各期間Ａ，期間Ｂ，期間Ｃも同様である。
【００７６】
本実施の形態では、記録開始前および記録終了後において、ライトゲート信号ＷＧをＬｏｗとする。また、このライトゲート信号ＷＧがＬｏｗとなる期間中で、ＥＦＭ１のみがＨｉｇｈである場合、ＬＤの発光パワーを、Ｉ１の範囲で加えられる電流によってリードパワーＰｒ＝Ｐ１となるように制御する。
【００７７】
マーク記録中は、記録開始直後にＥＦＭ１，ＥＦＭ２，ＥＦＭ３をともにＨｉｇｈとし、ＬＤ１９の発光パワーを電流Ｉ１＋電流Ｉ２＋電流Ｉ３の電流によってＰｐ＝Ｐ１＋Ｐ２＋Ｐ３となるように制御する。本実施の形態では、ＬＤの発光パワーがＰｐ＝Ｐ１＋Ｐ２＋Ｐ３となるパルスをピークパルスとする。
【００７８】
なお、一般的に、このようなピークパルスは、ピット形成をより良好なものとするとされているが、メディアの種類によっては不要な場合もある。
【００７９】
その後、ＥＦＭ１とＥＦＭ２とがＨｉｇｈとなりＥＦＭ３がＬｏｗとなる状態では、ＬＤの発光パワーが、電流Ｉ１＋電流Ｉ２の電流によってＰｐ＝Ｐ１＋Ｐ２のパワーとなるように制御する。
【００８０】
ここで、ＣＤ−Ｒを光ディスク２とした場合、スペース部分は記録膜に対して何も行なわないにも拘わらず、従来ではスペース部分においてもＰｒのパワーで発光していた。
【００８１】
これに対し、本実施の形態では、ＥＦＭ１，ＥＦＭ２，ＥＦＭ３をともにＬｏｗとすることにより、スペース部分における電流を０とした状態（＝Ｐ０）で消灯させることができる。
【００８２】
ところで、近年では、多くのノート型ＰＣにＣＤ−Ｒドライブが搭載されている。一般的にノート型ＰＣはバッテリで駆動されるため、周辺装置であるＣＤ−Ｒドライブ（光ディスク装置１）に対しても省電力設計が要求される。
【００８３】
公知の技術であるが、ＣＤ−Ｒを光ディスク２とした場合の光ディスク２に対する記録に際しては、記録膜を焼き切るようにしてピットを形成し、データを記録する。このとき、ＣＤ−Ｒドライブでは、スペース形成領域においてリードパワーＰｒで発光させたレーザ光を照射し、マーク形成領域においてライトパワーＰｗで発光させたレーザ光を照射することによって記録を行なう。
【００８４】
ここで、スペース形成領域においては記録膜に対して何も行なわないため、情報の記録に際しては、リードパワーＰｒは０であっても支障がないと考えられる。
【００８５】
しかしながら、従来では、レーザ光源をリードパワーＰｒで発光させているため、図３に示すように、小さなリードパワーＰｒであっても大きな電流を消費している。
【００８６】
これに対し、本実施の形態では、リードパワーＰｒを０とすることにより、スペース形成領域を走査する期間中レーザ光を消灯状態とすることができるので、スペース形成領域における消費電流をなくし、記録に際しての消費電流を低減することができる。
【００８７】
次に、本発明のまた別の実施の形態について図６を参照して説明する。図６は、本発明のまた別の実施の形態のドライブ装置が備えるＬＤドライバ１５周辺をＬＤ１９の制御を中心にして図２よりも詳細に示すブロック図である。図６に示すように、本実施の形態では、ＥＦＭ２とＥＦＭ３とが、それぞれ電流Ｉ２をＯＮ／ＯＦＦするのか電流Ｉ３をＯＮ／ＯＦＦするのかを、相互に選択的に切り換え可能とする電流源設定手段としてのスイッチ部４０を備えている。
【００８８】
なお、本実施の形態においては、電流Ｉ１の最大許容電流は５０ｍＡ、電流Ｉ２の最大許容電流は１５０ｍＡ、電流Ｉ３の最大許容電流は１００ｍＡの条件が付けられている。
【００８９】
ところで、多くの既製品ＬＤドライバは、各チャネルの最大許容電流が異なるように瀬定されている。これは、チャネルによりリード用、ライト用の用途が決められており、例えば、チャネル１は５０ｍＡ、チャネル２は１５０ｍＡ、チャネル３は１００ｍＡといった具合に、各用途に見合った電流設計がされているからである。そして、ＣＤ−Ｒを光ディスク２とした場合は、チャネル１をリードパワー用にチャネル２をライトパワー用にチャネル３をピークパワー用に使用し、ＣＤ−ＲＷを光ディスク２とした場合はチャネル１をベースパワー用にチャネル２をイレースパワー用にチャネル３をライトパワー用に使用するというように、予め用途が決められている。
【００９０】
従来では、ＣＤ−Ｒを光ディスク２とした場合の記録速度に比べてＣＤ−ＲＷを光ディスク２とした場合の記録速度の方が低速であったため、その記録パワーに不足を感じることは無かった。
【００９１】
しかしながら、近年では、ＣＤ−Ｒを光ディスク２とした場合の記録速度が限界となりつつあるが、ＣＤ−ＲＷを光ディスク２とした場合の記録速度は依然増加しているため、ＣＤ−ＲＷを光ディスク２とした場合の記録パワーが不十分となる問題が発生している。
【００９２】
例えば、イレースパワーに必要な電流が８０ｍＡでありライトパワーに必要な電流が１２０ｍＡである場合には、チャネル３の許容電流がオーバーしてしまうことが懸念される。
【００９３】
そして、例えば、ＣＤ−ＲＷの記録品質を上げるために、ライトパワーＰｗのレベルをそのままに、イレースパワーＰｅのレベルを下げたい場合、Ｐ３のパワー割合が増加し１００ｍＡを超えてしまうことが懸念される。
【００９４】
本実施の形態では、このような場合に、ＥＦＭ３で電流Ｉ２をＯＮ／ＯＦＦし、ＥＦＭ２で電流Ｉ３をＯＮ／ＯＦＦするように制御する。すなわち、Ｐ２，Ｐ３に必要な電流によりＬＤドライバ１５における各チャネルにおける電流値が許容電流を超えないように切り換えを行なう。
【００９５】
これによって、パワー設定範囲を広げることができる。
【００９６】
次に、本発明のさらに別の実施の形態について図７を参照して説明する。図７は、本発明のさらに別の実施の形態の光ディスク装置１におけるＬＤ１９の発光パワーと、この発光パワーの増加との関係を示すグラフである。図７中、横軸はＬＤ１９の発光パワーを上げる設定であり、縦軸は実際の発光パワーを示している。
【００９７】
本実施の形態では、リードパワーとなる発光パワーＰ１が０．１ｍＷ単位で設定可能であり、発光パワーＰ２は１ｍＷ単位で設定可能である。最初、発光パワーＰ１は、１ｍＷおよび発光パワーＰ２は５０ｍＷに設定されているものとする。ライトパワーとなるＰ１＋Ｐ２の発光パワーは５１ｍＷである。
【００９８】
この状態から、発光パワーＰ１を０．１ｍＷ毎増加させると、発光パワーＰ１＋Ｐ２も０．１ｍＷずつ増加する。発光パワーＰ１を１．９ｍＷの次に１ｍＷに設定し、発光パワーＰ２を５１ｍＷに設定すると、発光パワーＰ１＋Ｐ２は５２ｍＷになる。
【００９９】
このように発光パワーＰ１によって設定されるリードパワーＰｑを、発光パワーＰ２設定を補完するように変化させることで、発光パワーＰ１＋Ｐ２によって設定されるライトパワーを０．１ｍＷの精度で設定することができる。ここに、リードパワー設定手段が実現される。
【０１００】
なお、リードパワーを多少変化させても、サーボ動作や記録品質には影響しない。
【０１０１】
これにより、最大パワーは小さいが設定分解能の高い発光パワーＰ１と、最大パワーは大きいが設定分解能の低い発光パワーＰ２とによって、Ｐ１＋Ｐ２の発光パワーを精度良く設定することができ、リードパワーの設定精度でライトパワーを設定することができるので、光ディスク装置１のコストダウンを図ることができる。
【図面の簡単な説明】
【０１０２】
【図１】本発明を実施するための最良の一実施の形態の光ディスク装置を示す全体ブロック図である。
【図２】図１のＬＤドライバ周辺をＬＤ制御を中心にして図１よりも詳細に示すブロック図である。
【図３】ＬＤにおける消費電流と発光パワーとの関係を示すグラフである。
【図４】ＣＤ−ＲＷを光ディスクとした場合の、光ディスクへの記録に際しての書き込みパルスとＬＤにおける発光パワーとの関係を示すタイミングチャートである。
【図５】本発明の別の実施の形態の光ディスク装置において、ＣＤ−Ｒを光ディスクとした場合の光ディスクへの記録に際しての書き込みパルスとＬＤの発光パワーとの関係を示すタイミングチャートである。
【図６】本発明のまた別の実施の形態の光ディスク装置が備えるＬＤドライバ周辺をＬＤの制御を中心にして図２よりも詳細に示すブロック図である。
【図７】本発明のさらに別の実施の形態の光ディスク装置におけるＬＤの発光パワーと、この発光パワーの増加との関係を示すグラフである。
【符号の説明】
【０１０３】
１      光ディスク装置
２      光ディスク
３      移動手段
１９      発光素子
【図１】
2005071541.tif 000003
【図２】
2005071541.tif 000004
【図３】
2005071541.tif 000005
【図４】
2005071541.tif 000006
【図５】
2005071541.tif 000007
【図６】
2005071541.tif 000008
【図７】
2005071541.tif 000009